(57)【要約】      （修正有）【課題】測定後の試料と新たに測定する試料との交換を容易に行うことができる試料皿把持用挟持具を提供する。【解決手段】支点部８３と、該支点部８３から延伸するように形成された第一腕部８１と、該第一腕部８１の下方に配置され、支点部８３から延伸するように形成された第二腕部８２と、第一腕部８１の先端部に形成された第一当接部８４と、第二腕部８２の先端部に形成された第二当接部８５とを備え、第一腕部８１と第二腕部８２とが互いに近接させた状態から離反する方向に弾発付勢される試料皿把持用挟持具であって、第一当接部８４は、第一腕部８１に対して下方に曲がるとともに、第二当接部８５は、第二腕部８２に対して下方に曲がり、第二当接部８５の上面には、側方から視ると曲面８６を有する弾性部材が形成されており、第一当接部８４の下面と第二当接部８５の上面に形成された曲面８６とで、試料皿の側壁が把持される。【選択図】図５
0003166540.tif 000002
【実用新案登録請求の範囲】
【請求項１】
支点部と、
前記支点部から延伸するように形成された第一腕部と、
前記第一腕部より下方に配置され、前記支点部から延伸するように形成された第二腕部と、
前記第一腕部の先端部に形成された第一当接部と、
前記第二腕部の先端部に形成された第二当接部とを備え、
前記第一腕部と前記第二腕部とが上下方向に互いに近接させた状態から離反する方向に弾発付勢される試料皿把持用挟持具であって、
前記第一当接部は、前記第一腕部に対して下方に折れ曲がるとともに、前記第二当接部は、前記第二腕部に対して下方に折れ曲がり、
前記第二当接部の上面及び／又は第一当接部の下面には、側方から視ると曲面を有する弾性部材が形成されており、
前記第一当接部の下面と前記第二当接部の上面とで、試料皿の側壁が把持されることを特徴とする試料皿把持用挟持具。
【請求項２】
請求項１に記載の試料皿把持用挟持具と、
箱形状の本体筐体を備え、当該本体筐体の内部に荷重を検出する荷重検出部が収容された天秤本体部と、
前記本体筐体の上面の上方で荷重検出部に取り付けられる試料皿と、
上板と当該上板の周縁部から下方に伸びた側壁とを有する蓋筐体を備え、前記上板の下面に加熱体が取り付けられた天秤蓋部とを備えることを特徴とする水分計。
【考案の詳細な説明】
【技術分野】
【０００１】
本考案は、試料が載置された試料皿を交換するために用いられる試料皿把持用挟持具及びそれを備えた水分計に関する。
【背景技術】
【０００２】
電子水分計は、試料皿に載置された試料を加熱乾燥して試料の重量の減少から試料に含まれる水分率を測定するものである（例えば、特許文献１参照）。
図６は、従来の電子水分計の構成を示す斜視図である。なお、図６は、蓋を開けた状態の電子水分計である。また、図７は、試料を測定する状態の電子水分計の断面図であり、図８は、試料を交換する状態の電子水分計の断面図である。
このような電子水分計１０１は、荷重を検出する荷重検出センサ（荷重検出部）１０が収容されるケース（本体筐体）２０を有する天秤本体部５０と、荷重検出センサ１０に取り付けられる皿受け３０と、試料が載置される試料皿４０と、直管型のハロゲンヒータ（加熱体）６０とケース（蓋筐体）７０とを有する天秤蓋部９０と、試料皿４０を交換するために用いられる試料皿支持具１８０とを備える。
【０００３】
ケース２０は、四角形状の上板（上面）２１の中央部に円環形状の風防２２が形成されており、円環形状の風防２２の中心に位置する部分の上板２１には、上下方向に上板２１を貫通する円形状の軸穴２３が形成されている。
また、上板２１の前部には表示部２４が形成されており、表示部２４に「水分率」が表示されるようになっている。
【０００４】
荷重検出センサ１０は、直方体形状のアルミニウム合金製のブロック体であり、ロバーバル機構と、第一レバーと、第二レバーと、ロバーバル機構と第一レバーと第二レバーとを連結する連結部材とが、前後方向に貫通する孔やスリット等を設けることによって形成されている。
ロバーバル機構は、ケース２０に取付部材１２を介して固定される固定柱と、金属製の円柱形状の連結軸１１が結合される可動柱と、両端部に可撓部（ヒンジ部）を有する２本の梁とから構成される。そして、可動柱と固定柱とを、互いに平行な２本の梁によって連結した構造となっている。
【０００５】
第二レバーの他端部には、持出部材１３の基端部がネジ等によって固定される。これにより、試料の荷重は、可動柱と連結部材と第一レバーと連結部材と第二レバーとを介して、持出部材１３の先端部を傾動させるようになっている。このような持出部材１３の先端部の変位は、ケース２０に固定された変位センサ１５によって検出される。また、持出部材１３の先端部には、電磁力発生装置１４のフォースコイルが固着されている。これにより、電磁力発生装置１４のフォースコイルに流される電流の大きさは、変位センサ１５からの検出信号に基づいて、持出部材１３の先端部の変位が０となるようにサーボ機構（図示せず）によって制御される。
なお、連結軸１１の下端部が、荷重検出センサ１０の可動柱の上面に結合されているとともに、連結軸１１の上端部に皿受け３０が測定者によって取り付け取り外し可能となっている。
そして、荷重検出センサ１０は、ケース２０の内部空間に配置されるとともに、連結軸１１は、ケース２０の内側から軸穴２３を通って風防２２の中央に配置されている。
【０００６】
図９は、試料皿４０の平面図である。試料皿４０は、使い捨てになっており、金属製となっている。このような試料皿４０は、円形状の底板４１と、底板４１に対して所定の角度（例えば、４５°）で上方に折れ曲がった円環形状の側壁４２とを有し、その底板４１の上面には測定者によって試料が載置されるようになっている。
図１０は、皿受け３０の平面図である。皿受け３０は、ステンレス製となっている。このような皿受け３０は、円柱部３１と、円柱部３１の中心軸の一点を中心として水平方向に伸びる３本の枝部３２とを有する。３本の枝部３２は、円柱部３１の中心軸の一点を中心として、それぞれ異なる水平方向に所定の距離で伸びており、例えば平面視で１時と５時と９時との方向に伸びている。また、枝部３２の端部は上方に伸びて、枝部３２の上面に試料皿４０が載置されるとともに、枝部３２の端部が試料皿４０の側壁４２と当接することで、皿受け３０と試料皿４０とが結合されるようになっている。また、円柱部３１の下面には挿入孔３３が形成されており、挿入孔３３に連結軸１１の上端部が挿入されることで、皿受け３０と荷重検出センサ１０とが結合されるようになっている。
【０００７】
ケース７０は、円形状の上板７１と上板７１の周縁部から下方に伸びた円筒状の側壁７２とを有し、上板７１の下面にはハロゲンヒータ６０が取り付けられている。
そして、側壁７２の一辺の下部とケース２０の上板２１の後側とを軸として、ケース７０が回動可能に取り付けられている。このとき、ケース７０が閉じられた際には、ケース７０が風防２２を覆うようになり、一方、ケース７０が開けられた際には、ケース７０の上板７１は、ケース２０の上板２１と垂直となるようになっている。
【０００８】
ところで、電子水分計１０１では、多くの試料を測定することとなる。そのため、測定者は、測定後の試料と新たに測定する試料との交換を速やかに行いたいと考えるものである。
そこで、電子水分計１０１の計測空間が熱いまま、測定者が試料の交換を行えるように、試料皿４０を触らずに運ぶことができる試料皿支持具１８０が用いられている。
図１１は、試料皿支持具１８０の平面図である。試料皿支持具１８０は、試料皿４０を皿受け３０から分離して支持することが可能となる円環部１８１と、円環部１８１から外側かつ水平方向に所定の距離で伸びた持ち手１８２とを有する。
【０００９】
円環部１８１は、円環形状であり、平面視で皿受け３０より大きくなっており、かつ、風防２２の内径より小さくなっている。そして、円環形状の円環部１８１から円環部１８１の中心に向かって水平方向に所定の距離で伸びる３本の枝部１８３が形成されている。例えば、３本の枝部１８３は、円環部１８１の中心に向かってそれぞれ異なる水平方向に平面視で３時と７時と１１時との方向に伸びている。
【００１０】
このような試料皿支持具１８０によれば、測定者は、皿受け３０の挿入孔３３に連結軸１１の上端部を挿入することで、決まった方向を向いた皿受け３０と荷重検出センサ１０とを結合しておき、試料皿支持具１８０の枝部１８３の上面に試料皿４０を載置して、持ち手１８２を把持しながら、電子水分計１０１の試料皿取付位置に試料皿４０を運ぶことになる。そして、測定者が試料皿４０を支持した試料皿支持具１８０を下方に移動させることにより、試料皿４０は皿受け３０の枝部３２の上面に載置される。つまり、試料皿４０が試料皿支持具１８０から皿受け３０に移し替えられる。なお、試料皿４０が取り外された試料皿支持具１８０は、測定中には上板２１に載置させておくようになっている。
そして、測定者は、天秤蓋部９０を閉じて試料の測定を行う。このとき、試料皿支持具１８０の持ち手１８２は、所定の距離で伸びているので、天秤蓋部９０が閉じられた際には、持ち手１８２は切りかき部７２ａを貫通して計測空間の外に配置されるようになっている。つまり、持ち手１８２は熱くならないようになっている。
【００１１】
その後、試料の測定が終了すれば、測定者は、天秤蓋部９０を開けて試料皿４０を外部空間に曝す。そして、測定者が試料皿支持具１８０の持ち手１８２を把持しながら、試料皿支持具１８０を上方に移動させることにより、試料皿４０は試料皿支持具１８０の枝部１８３の上面に載置される。つまり、試料皿４０が皿受け３０から試料皿支持具１８０に移し替えられる。これにより、測定者は、電子水分計１０１の計測空間から試料皿４０を運ぶことで、試料皿４０ごと試料をゴミ箱等に捨てることになる。
そして、測定者は、新たに測定する試料が載置された試料皿４０を試料皿支持具１８０の枝部１８３の上面に載置することで、測定後の試料と新たに測定する試料との交換を速やかに行うことができる。
【先行技術文献】
【特許文献】
【００１２】
【特許文献１】特開２０００−１６２１０８号公報
【考案の概要】
【考案が解決しようとする課題】
【００１３】
しかしながら、このような試料皿支持具１８０では、試料を計測空間に配置する際には、試料皿４０を支持した試料皿支持具１８０を下方に移動させることにより、試料皿４０が皿受け３０の枝部３２の上面に載置されることになるが、皿受け３０と干渉しない様に試料皿支持具１８０を操作する必要がある。試料皿支持具１８０を挿入する方向は風防２２やケース７０の切りかき部７２ａなどで分かる様にレイアウトされているが、方向は限定される。また、試料を計測空間から取り除く際には、試料皿支持具１８０を上方に移動させることにより、試料皿４０が試料皿支持具１８０の枝部１８３の上面に載置されることになるが、同じく皿受け３０と干渉しない様に試料皿支持具１８０を操作する必要がある。
また、従来の試料皿支持具１８０では、試料皿４０が載せられているだけの保持なので、傾けると試料皿４０ごと試料を捨てることはできるが、試料のみを捨てることはできなかった。
さらに従来の試料皿支持具１８０の持ち手１８２部分はヒータカバーで囲われる風防２２領域から外側に張り出ているので、この部分にエアコンの気流などの外乱が加わると測定誤差になる可能性がある。また、試料皿支持具１８０の持ち手１８２部分用の切欠き形状７２ａが必要なため、密閉できず、さらにハロゲンヒータ６０で試料を暖める際に内部にある試料皿支持具１８０も暖める必要があるので余分な熱量を必要としていた。
【課題を解決するための手段】
【００１４】
上記課題を解決するために、測定後の試料と新たに測定する試料との交換を容易に行うことができる道具について検討を行った。まず、支点部から延伸するように形成された第一腕部及び第二腕部とを有するトングを用いたが、電子水分計１０１にはハロゲンヒータ６０が取り付けられた天秤蓋部９０が存在するため、天秤蓋部９０を開けた状態でも真上から試料皿４０の側壁４２を第一腕部及び第二腕部の先端部で把持することはできない。また、試料皿４０の底面４１には試料が残るため、トングが汚れてしまうので、側方から試料皿４０の側壁４２を第一腕部及び第二腕部の先端部で把持することになるが、上手く把持することができなかった。よって、第一腕部及び第二腕部の先端部に第一当接部及び第二当接部をそれぞれ形成して、第一当接部及び第二当接部を、第一腕部及び第二腕部に対して下方に折れ曲がるように形成した。これにより、側方からでも試料皿４０の側壁４２を第一当接部及び第二当接部で上手く把持することができるようになった。
【００１５】
しかし、このようなトングでも、試料皿４０に重い試料が載置されているときには、試料皿４０の側壁４２を第一当接部及び第二当接部でしっかりと把持することができなかった。つまり、第一当接部及び第二当接部を第一腕部及び第二腕部に対して下方に折れ曲がるように形成したため、第一腕部及び第二腕部に手で力を入れる操作方向Ａと、第一当接部及び第二当接部で挟む方向とが異なることになるので力が充分に伝わらなかった。そこで、操作方向Ａと、第一当接部及び第二当接部で挟む方向とがほぼ一致するようにした。つまり、第二当接部の上面に曲面を形成することを見出した。なお、曲面状の部品は試料との接触がない試料皿４０の外側を把持する第二当接部にのみ設けているが、第一当接部側の下面、或いは第一当接部の下面と第二当接部の上面との両方に設けても同等の効果が得られる。
【００１６】
すなわち、本考案の試料皿把持用挟持具は、支点部と、前記支点部から延伸するように形成された第一腕部と、前記第一腕部より下方に配置され、前記支点部から延伸するように形成された第二腕部と、前記第一腕部の先端部に形成された第一当接部と、前記第二腕部の先端部に形成された第二当接部とを備え、前記第一腕部と前記第二腕部とが上下方向に互いに近接させた状態から離反する方向に弾発付勢される試料皿把持用挟持具であって、前記第一当接部は、前記第一腕部に対して下方に折れ曲がるとともに、前記第二当接部は、前記第二腕部に対して下方に折れ曲がり、前記第二当接部の上面及び／又は第一当接部の下面には、側方から視ると曲面を有する弾性部材が形成されており、前記第一当接部の下面と前記第二当接部の上面とで、試料皿の側壁が把持されるようにしている。
【考案の効果】
【００１７】
以上のように、本考案の試料皿把持用挟持具によれば、側方からでも試料皿の側壁を充分な力で把持するような構成であるので、測定後の試料と新たに測定する試料との交換を容易に行うことができる。さらに、ケースの切りかき部などの位置を意識する必要もなく交換を行うことができる。また、試料皿にこびりついて取れなくなる試料でなければ、試料皿上の試料のみを簡単に捨てられるため、試料皿の再利用も可能である。
【００１８】
（他の課題を解決するための手段および効果）
また、本考案の水分計において、上述したような試料皿把持用挟持具と、箱形状の本体筐体を備え、当該本体筐体の内部に荷重を検出する荷重検出部が収容された天秤本体部と、前記本体筐体の上面の上方で荷重検出部に取り付けられる試料皿と、上板と当該上板の周縁部から下方に伸びた側壁とを有する蓋筐体を備え、前記上板の下面に加熱体が取り付けられた天秤蓋部とを備えるようにしてもよい。
本考案の水分計によれば、従来の天秤蓋部の外部に張り出していた試料皿支持具の持ち手部分がないので、エアコンの気流などの外乱がそこに加わることで生じる測定誤差を排除でき、また僅かではあるが試料皿支持具の持ち手部分を外部に張り出すための切りかき部の必要が無くなり天秤蓋部を閉めると密閉でき、また試料を暖めると同時に試料皿支持具を暖めるのに使われていた余分な熱量も排除できるため、効率良く試料を加熱することができる。
【図面の簡単な説明】
【００１９】
【図１】本考案に係る電子水分計の構成を示す斜視図。
【図２】試料を測定する状態の電子水分計の断面図。
【図３】試料を交換する状態の電子水分計の断面図。
【図４】トングの平面図。
【図５】トングの側面図。
【図６】従来の電子水分計の構成を示す斜視図。
【図７】試料を測定する状態の電子水分計の断面図。
【図８】試料を交換する状態の電子水分計の断面図。
【図９】試料皿の平面図。
【図１０】皿受けの平面図。
【図１１】試料皿支持具の平面図。
【考案を実施するための形態】
【００２０】
以下、本考案の実施形態について図面を用いて説明する。なお、本考案は、以下に説明するような実施形態に限定されるものではなく、本考案の趣旨を逸脱しない範囲で種々の態様が含まれることはいうまでもない。
【００２１】
図１は、本考案に係る電子水分計の構成を示す斜視図である。なお、図１は、蓋を開けた状態の電子水分計である。また、図２は、試料を測定する状態の電子水分計の断面図であり、図３は、試料を交換する状態の電子水分計の断面図である。
電子水分計１は、荷重を検出する荷重検出センサ（荷重検出部）１０が収容されるケース（本体筐体）２０を有する天秤本体部５０と、荷重検出センサ１０に取り付けられる皿受け３０と、試料が載置される試料皿４０と、直管型のハロゲンヒータ（加熱体）６０とケース（蓋筐体）７０とを有する天秤蓋部９０と、試料皿４０を交換するために用いられるトング（試料皿把持用挟持具）８０とを備える。
【００２２】
図４は、トング８０の平面図である。また、図５（ａ）は、解放状態のトング８０の側面図であり、図５（ｂ）は、把持状態のトング８０の側面図である。
トング８０は、右端部に配置された支点部８３と、支点部８３から左方に延伸するように形成された第一腕部８１と、支点部８３から左方に延伸するように形成された第二腕部８２と、第一腕部８１の先端部に形成された第一当接部８４と、第二腕部８２の先端部に形成された第二当接部８５とを備え、第一腕部８１と第二腕部８２とが上下方向Ａに互いに近接させた状態から離反する方向に弾発付勢されている。
【００２３】
第一腕部８１は、厚さ１ｍｍ程度の金属製の平板形状であり、支点部８３から左方に１０９ｍｍ程度で延伸するように形成されている。また、末端部は幅１０ｍｍ程度であり、先端部は２０ｍｍ程度であるように、途中で先端部の幅は広くなっている。
第一当接部８４は、厚さ１ｍｍ、幅２０ｍｍ、長さ１０ｍｍ程度の金属製の平板形状であり、第一腕部８１の先端部に形成されている。そして、第一当接部８４は、第一腕部８１に対して、試料皿４０の側壁４２の角度に対応する所定の角度（例えば、４５°）で下方に折れ曲がっている。
【００２４】
第二腕部８２は、厚さ１ｍｍ程度の金属製の平板形状であり、支点部８３から左方に１１０ｍｍ程度で延伸するように形成されている。つまり、第一腕部８１より少し長くなっている。また、末端部は幅１０ｍｍ程度であり、先端部は２０ｍｍ程度であるように、途中で先端部の幅は広くなっている。
第二当接部８５は、厚さ１ｍｍ、幅２０ｍｍ、長さ１０ｍｍ程度の金属製の平板形状であり、第二腕部８２の先端部に形成されている。そして、第二当接部８５は、第二腕部８２に対して、試料皿４０の側壁４２の角度に対応する所定の角度（例えば、４５°）で下方に折れ曲がっている。
また、第二当接部８５の上面には、ゴム（弾性材料）で作製された２個の半球体（曲面）８６が形成されている。半球体（曲面）８６は、直径１０ｍｍ程度のものであり、幅方向に並べられている。
【００２５】
支点部８３は、側方から視ると半円形状の金属製の板状であり、上端部に第一腕部８１が結合されるとともに、下端部に第二腕部８２が結合されている。これにより、第二腕部８２は、第一腕部８１より下方に配置されており、測定者によって力が加えられない解放状態であるときには、第二腕部８２と第一腕部８１との間の角度は例えば１０°となり、測定者によって力が加えられた把持状態であるときには、第二腕部８２と第一腕部８１との間の角度は０°となるようになっている。
【００２６】
このようなトング８０によれば、測定者は、第一腕部８１と第二腕部８２とに上下方向Ａの力を加えることにより、第一当接部８４の下面と第二当接部８５の上面に形成された半球体８６とで、試料皿４０の側壁４２を把持して、電子水分計１の試料皿取付位置に試料皿４０を運ぶ。このとき、試料皿４０の側壁４２は方向Ｂからの力で把持されることになる。そして、測定者は、第一腕部８１と第二腕部８２とに力を加えるのを止めることにより、試料皿４０を皿受け３０の枝部３２の上面に載置する。
そして、測定者は、天秤蓋部９０を閉じて試料の測定を行う。このとき、従来の天秤蓋部の外部に張り出していた試料皿支持具の持ち手部分がないので、エアコンの気流などの外乱がそこに加わることで生じる測定誤差を排除でき、また僅かではあるが試料皿支持具の持ち手部分を外部に張り出すための切りかき部の必要が無くなり天秤蓋部９０を閉めると密閉でき、また試料を暖めると同時に試料皿支持具を暖めるのに使われていた余分な熱量も排除できるため、効率良く試料を加熱することができる。
【００２７】
その後、試料の測定が終了すれば、測定者は、天秤蓋部９０を開けて試料皿４０を外部空間に曝す。そして、測定者は、第一腕部８１と第二腕部８２とに上下方向Ａの力を加えることにより、第一当接部８４の下面と第二当接部８５の上面に形成された半球体８６とで、試料皿４０の側壁４２を把持して、電子水分計１の計測空間から試料皿４０を運ぶ。このとき、試料皿４０の側壁４２は方向Ｂからの力で把持されることになる。そして、測定者は、第一腕部８１と第二腕部８２とに力を加えるのを止めることにより、試料皿４０上の試料或いは試料皿４０ごと試料をゴミ箱等に捨てる。
その後、測定者は、第一腕部８１と第二腕部８２とに上下方向Ａの力を加えることにより、第一当接部８４の下面と第二当接部８５の上面に形成された半球体８６とで、新たに測定する試料が載置された試料皿４０の側壁４２を把持して、電子水分計１の試料皿取付位置に試料皿４０を運ぶことで、測定後の試料と新たに測定する試料との交換を速やかに行うことになる。
【００２８】
以上のように、本考案の電子水分計１によれば、側方からでも試料皿４０の側壁４２を充分な力で把持するようなトング８０を用いることにより、測定後の試料と新たに測定する試料との交換を容易に行うことができる。さらに、ケースの切りかき部などの位置を意識する必要もなく交換を行うことができる。
【００２９】
＜他の実施形態＞
上述した電子水分計１において、第二当接部８５の上面には、ゴムで作製された２個の半球体８６が形成されているような構成を示したが、第一当接部の下面にのみ、或いは、第一当接部の下面にも、ゴムで作製された半球体が形成されているような構成としてもよい。
【産業上の利用可能性】
【００３０】
本考案は、電子水分計等に好適に利用できる。
【符号の説明】
【００３１】
１  電子水分計
２０  本体筐体
２１  上面
１０  荷重検出部
３０  皿受け
４０  試料皿
４２  側壁
５０  天秤本体部
６０  ハロゲンヒータ（加熱体）
７０  蓋筐体
７１  上板
７２  側壁
８０  トング（試料皿把持用挟持具）
８１  第一腕部
８２  第二腕部
８３  支点部
８４  第一当接部
８５  第二当接部
８６  曲面を有する弾性部材
９０  天秤蓋部
【図１】
0003166540.tif 000003
【図２】
0003166540.tif 000004
【図３】
0003166540.tif 000005
【図４】
0003166540.tif 000006
【図５】
0003166540.tif 000007
【図６】
0003166540.tif 000008
【図７】
0003166540.tif 000009
【図８】
0003166540.tif 000010
【図９】
0003166540.tif 000011
【図１０】
0003166540.tif 000012
【図１１】
0003166540.tif 000013